(57)【要約】【課題】  記録媒体に簡単に新規の予約録画をすることが可能な簡単予約録画方法を備えた記録再生装置を提供する。【解決手段】  表示処理部２９の制御により表示された録画タイトルを選択し、解読処理部２５により録画タイトルデータの文字列に含まれる録画日時や録画チャンネルなどを解読して数値に変換し、変換された数値データをもとに予約録画設定部２３が新規の予約録画の設定を行い、残量検出部３０によりＤＶＤディスク５の録画残容量の不足を検出し、報知処理部３１がこれを報知し、制御部２２がＶＴＲテープ６への切換えを制御して録画を開始する。【選択図】      図１
2006211592.tif 000002
【特許請求の範囲】
【請求項１】
放送電波を受信してこれを表示可能な映像音声信号に変換して表示装置に表示すると共に表示可能な映像音声信号を記録再生が可能な映像音声データに変換し、記録再生部によって記録媒体に記録再生することが出来る記録再生装置であって、この記録再生装置は録画タイトルを作成し、この録画タイトルを表示装置に表示すると共に表示された録画タイトルをもとに予約録画の設定を行い、録画タイトルから設定された予約録画プログラムに対応する番組放送の時間を監視しながら録画を実行する記録再生装置において、該記録再生装置に備えたマイコンに前記記録媒体から読み出された番組放送の録画ファイルとその録画タイトルから、その録画タイトルの文字列に含まれる録画日、録画開始時刻、録画終了時刻、録画チャンネル、録画モードなどを解読して数値に変換する解読処理部を設け、前記マイコンに設けた予約設定処理部が前記記録媒体に記録された録画ファイルの映像、及び、録画タイトルを数値変換して新規の予約録画設定を行なうことにより録画することを特徴とする簡単予約録画方法を備えた記録再生装置。
【請求項２】
前記解読処理部がＥＰＧなどから取得した再放送番組のデータ、及び、この再放送番組の録画タイトルの文字列を解読して数値変換し、数値変換されたその各数値をもとに前記予約設定処理部が再放送番組の予約録画の設定を自動的に行なうことにより自動録画すると共にこの予約設定処理部が本来の番組放送順に整理し、録画逃しをした番組を番組放送順に再生するように構成したことを特徴とする請求項１記載の簡単予約録画方法を備えた記録再生装置。
【請求項３】
前記マイコンに前記予約設定処理部から入手した録画時間データをもとに現在の記録媒体の録画残容量を算出する残量検出部と、この録画残容量の不足を報知させる報知処理部とを備え、記録媒体の録画残容量が不足する際は報知するように構成としたことを特徴とする請求項１または２記載の簡単予約録画方法を備えた記録再生装置。
【請求項４】
前記記録再生装置に複数の記録再生部を備え、該記録再生部で記録された記録媒体の録画残容量が不足する際にこの記録媒体の他の何れかの記録媒体に切換えて録画を開始し、その録画タイトルと新規の予約録画プログラムを前記他の何れかの記録媒体に移植するように構成したことを特徴とする請求項１から３の何れか１項に記載の簡単予約録画方法を備えた記録再生装置。
【請求項５】
前記残量検出部に録画ファイルの先頭に人物画像が録画されているか否かを検出する機能を備え、録画タイトルの表示において背景に録画された人物画像を選択的に表示するように構成したことを特徴とする請求項１から４の何れか１項に記載の簡単予約録画方法を備えた記録再生装置。
【請求項６】
前記記録再生装置に前記表示装置を備え、前記記録媒体に記録された録画ファイルと録画タイトルを表示するように構成したことを特徴とする請求項１から５の何れか１項に記載の簡単予約録画方法を備えた記録再生装置。
【発明の詳細な説明】
【技術分野】
【０００１】
本発明は、予約録画が可能な記録再生装置や複数の記録媒体に予約録画が可能な簡単予約録画方法を備えた記録再生装置に関する。
【背景技術】
【０００２】
従来から、ＥＰＧ（Ｅｌｅｃｔｒｉｃ  Ｐｒｏｇｒａｍ  Ｇｕｉｄｅ）などによって供給される番組表をもとに予約録画を自動設定可能な記録再生装置として特許文献１には「番組の予約記録方法、番組予約記録装置、及び番組予約記録用プログラム」などがあり、この従来技術によれば、録画タイトル名及び放送時刻に係る電子番組情報より第１の録画タイトル名を指定手段により指定し、その録画タイトル名の文字列と一部が同一であり、次回に放送される第２の録画タイトル名を検出手段により検出すると共に、その放送時刻情報を情報取得手段により得、第２の録画タイトルの番組を予約記録手段により予約してハードディスクに記録するようにし、放送時間帯の変更に自動追従して記録する番組予約記録装置を実現する方法が提案されている。
【０００３】
【特許文献１】特開２００３−４６９２１号公報
【発明の開示】
【発明が解決しようとする課題】
【０００４】
前述の従来技術において、例えば特許文献１においては、電子番組表提供者、及び放送者から供給される電子番組表及び番組放送開始終了時刻情報を基に放送時間帯の変更に自動追従する予約録画機能を有する番組予約記録装置の構成であるが、この装置は電子番組情報の入手が不可欠である。また、第１の記録媒体から第２の記録媒体に交換したときは、第１の記録媒体に記録した録画タイトルのデータを第２の記録媒体に移植することが出来ないことから、再度第２の記録媒体に予約録画の設定を行なうことが必要である。また、記録再生装置Ａで第１の記録媒体に第１の録画ファイルを録画した後に、前記第１の記録媒体を他機種である記録再生装置Ｂに装填し、次週に連続する第２の録画ファイルを録画する際も録画タイトルが共通でないことにより簡単に予約設定を行なうことが出来ないといった問題があった。本発明は、通常録画、若しくは予約録画の終了時に自動的に作成される録画タイトルを利用して次回以降の予約録画設定を簡単に行なうことにより、前述のように必ずしもＥＰＧなどから電子番組情報の入手する必要はなく、また第１の記録媒体から第２の記録媒体に交換したときは番組予約の設定を再度行うことを省略可能とし、記録再生装置Ａで第１の記録媒体に第１の録画ファイルを録画した後に次週に連続する第２の録画ファイルを録画するために前記第１の記録媒体を他機種である記録再生装置Ｂに装填した際も簡単に予約設定を行なうことが出来ると共に、装填されている記録媒体の残容量を検出して報知することが出来るなどにより視聴者の使い勝手を向上させることが出来る簡単予約録画方法を備えた記録再生装置を得ることを目的とする。
【課題を解決するための手段】
【０００５】
請求項１の簡単予約録画方法を備えた記録再生装置は、放送電波を受信してこれを表示可能な映像音声信号に変換して表示装置に表示すると共に表示可能な映像音声信号を記録再生が可能な映像音声データに変換し、記録再生部によって記録媒体に記録再生することが出来る記録再生装置であって、この記録再生装置は録画タイトルを作成し、この録画タイトルを表示装置に表示すると共に表示された録画タイトルをもとに予約録画の設定を行い、録画タイトルから設定された予約録画プログラムに対応する番組放送の時間を監視しながら録画を実行する記録再生装置において、該記録再生装置に備えたマイコンに前記記録媒体から読み出された番組放送の録画ファイルとその録画タイトルから、その録画タイトルの文字列に含まれる録画日、録画開始時刻、録画終了時刻、録画チャンネル、録画モードなどを解読して数値に変換する解読処理部を設け、前記マイコンに設けた予約設定処理部が前記記録媒体に記録された録画ファイルの映像、及び、録画タイトルを数値変換して新規の予約録画設定を行なうことにより録画することを特徴とする。
【０００６】
請求項１の構成によれば、マイコンには、記録再生部が読み取った録画タイトルデータ又はＥＰＧなどの番組データを取得して作成された録画タイトルの文字列に含まれる録画日、録画開始時刻、録画終了時刻、録画チャンネル、録画モードなどを解読して数値に変換する解読処理部が設けられたことにより、録画が実行され前記記録媒体に記録された録画ファイルによる映像、及び、表示されたその録画タイトルをもとに数値変換することで前記予約設定処理部にて新規の予約録画設定が可能となり、これにより設定された予約録画は時間を監視されながら録画される。
【０００７】
請求項２の簡単予約録画方法を備えた記録再生装置は、請求項１記載の簡単予約録画方法を備えた記録再生装置において、前記解読処理部がＥＰＧなどから取得した再放送番組のデータ、及び、この再放送番組の録画タイトルの文字列を解読して数値変換し、数値変換されたその各数値をもとに前記予約設定処理部が再放送番組の予約録画の設定を自動的に行なうことにより自動録画すると共にこの予約設定処理部が本来の番組放送順に整理し、録画逃しをした番組を番組放送順に再生するように構成したことを特徴とする。
【０００８】
請求項２の構成によれば、データ取得処理部によりＥＰＧなどの番組データから再放送番組のデータが取得され、解読処理部によって再放送番組の録画タイトルデータが解読され数値変換されて、予約設定処理部によって再放送番組の予約録画の設定が行なわれ、設定された再放送番組の予約録画が時間を監視されながら自動録画されると共に前記予約設定処理部によって本来の番組放送順に整理され、録画逃しをした番組が番組放送順に再生される。
【０００９】
請求項３の簡単予約録画方法を備えた記録再生装置は、請求項１または２記載の簡単予約録画方法を備えた記録再生装置において、前記マイコンに前記予約設定処理部から入手した録画時間データをもとに現在の記録媒体の録画残容量を算出する残量検出部と、この録画残容量の不足を報知させる報知処理部とを備え、記録媒体の録画残容量が不足する際は報知するように構成としたことを特徴とする。
【００１０】
請求項３の構成によれば、マイコンには予約設定処理部から入手した録画時間データをもとに現在の記録媒体の録画残容量を算出する残量検出部と、この録画残容量の不足を報知させる報知処理部とが備えられたことにより、記録媒体の録画残容量が不足する際は視聴者に録画残容量が不足する旨が報知される。
【００１１】
請求項４の簡単予約録画方法を備えた記録再生装置は、請求項１から３の何れか１項に記載の簡単予約録画方法を備えた記録再生装置において、前記記録再生装置に複数の記録再生部を備え、該記録再生部で記録された記録媒体の録画残容量が不足する際にこの記録媒体の他の何れかの記録媒体に切換えて録画を開始し、その録画タイトルと新規の予約録画プログラムを前記他の何れかの記録媒体に移植するように構成したことを特徴とする。
【００１２】
請求項４の構成によれば、この記録再生装置には複数の記録再生部が備えられ、該記録再生部で記録された記録媒体の録画残容量が不足する際にこの記録媒体の他の何れかの記録媒体に切換えて録画が開始され、その録画タイトルと新規の予約録画設定された予約録画プログラムが切換えられた前記他の何れかの記録媒体に移植される。
【００１３】
請求項５の簡単予約録画方法を備えた記録再生装置は、請求項１から４の何れか１項に記載の簡単予約録画方法を備えた記録再生装置において、前記残量検出部に録画ファイルの先頭に人物画像が録画されているか否かを検出する機能を備え、録画タイトルの表示において背景に録画された人物画像を選択的に表示するように構成したことを特徴とする。
【００１４】
請求項５の構成によれば、残量検出部には録画ファイルの先頭に人物画像が録画されているか否かを検出する機能が備えられ、録画タイトルの表示において背景に録画された人物画像が選択的に表示される。
【００１５】
請求項６の簡単予約録画方法を備えた記録再生装置は、請求項１から５の何れか１項に記載の簡単予約録画方法を備えた記録再生装置において、前記記録再生装置に前記表示装置を備え、前記記録媒体に記録された録画ファイルと録画タイトルを表示するように構成したことを特徴とする。
【００１６】
請求項６の構成によれば、前記記録再生装置には表示装置が備えられたことにより記録媒体に記録された録画ファイルと録画タイトルが前記表示装置に表示される。
【発明の効果】
【００１７】
請求項１の発明によれば、連続放送される番組の録画ファイルが記録された記録媒体の録画タイトルを利用して新規の予約録画を設定することが可能となり、メーカや機種が異なるなど他の記録再生装置で録画されていても、記録媒体に記録された録画タイトルを解読処理部によって解読することが出来るので、他の記録再生装置で録画されていた記録媒体から新規の予約録画の設定を行なうことが出来るので、視聴者にとっては記録再生装置が特定の記録再生装置に限定されず、使い勝手を向上させることが出来る。また、録画チャンネルや録画開始時刻など詳細の設定を操作キーやリモコン送信機を操作して設定するなど煩わしい操作手順を省略することが出来るので、高齢者や年少者などの視聴者が利用する機会が多い一般家庭において誰でも簡単に予約録画の設定を行なうことが出来る。また、予約録画の設定においても、その記録媒体に記録されている録画ファイルの映像と録画タイトルがメニュー画面として表示されるので、その記録媒体に多数の録画ファイルが記録されているような場合でも予約録画の操作時に誤った録画タイトルを選択してしまうといった選択ミスや、録画チャンネルや録画開始時刻の設定を誤ってしまうといった設定ミスを少なくすることが出来る。さらに、録画終了時に自動的に作成されて記録媒体に記録される録画タイトルを利用して次回からの予約録画の設定を行なうことが出来るので、メモリ部のメモリ容量が不足する恐れもなく、メモリ容量の追加やメモリ内の別領域を確保する必要もなく、マイコン制御における負担を減らすことが出来る。
【００１８】
請求項２の発明によれば、ＥＰＧなどの番組データを利用することにより、新規の予約録画を設定した番組放送のうち録逃がしをしてしまった際も、再放送される番組放送を自動録画することが可能となり、視聴者の使い勝手を向上させることが出来る。
【００１９】
請求項３の発明によれば、予約録画を行なうに際し録画を予定して装填されていた記録媒体の録画残容量が不足してしまった場合には、残量検出部がこれを検出し報知処理部によって録画残容量の不足が報知されることにより記録媒体の交換を視聴者に促すことが出来る。
【００２０】
請求項４の発明によれば、この記録再生装置には複数の記録再生部が備えられ、該記録再生部で記録された記録媒体の録画残容量が不足する際にこの記録媒体の他の何れかの記録媒体に切換えて録画が開始され、その録画タイトルと新規の予約録画設定された予約録画プログラムが切換えられた前記他の何れかの記録媒体に移植されるので、切換えられる他の何れかの記録媒体を予め記録再生装置に装填しておけば、移植された予約録画プログラムにもとづいて番組放送を自動録画することが出来る。
【００２１】
請求項５の発明によれば、予約録画の設定時において録画タイトルを選択する際は、録画タイトルと、番組放送の開始時に放映される司会者や出演者といった番組内容を印象付ける人物画像から容易に録画ファイルの番組内容を視認し判断することが出来るので、録画タイトルの選択や録画日時の設定ミスを減らすことが出来る。
【００２２】
請求項６の発明によれば、この記録再生装置には表示装置が備えられたことにより別体の表示装置と接続する必要はなくなると共に、この表示装置に表示される録画ファイルと録画タイトルによって容易に予約録画の設定を行なうことが出来る。
【発明を実施するための最良の形態】
【００２３】
以上のように、本発明は、メーカや機種などが異なる記録再生装置においても記録媒体を共用可能に予約録画することが出来るものであるが、以下の実施例の説明において、実施例１はＤＶＤ（Ｄｉｇｉｔａｌ  Ｖｅｒｓａｔｉｌｅ  Ｄｉｓｃ）装置を内蔵したテレビであり、実施例２はＤＶＤ装置とＶＴＲ（Ｖｉｄｅｏ  Ｔａｐｅ  Ｒｅｃｏｒｄｅｒ）装置の複合機である。これらにより本発明の詳細について説明する。
【００２４】
以下、本発明を実施するための最良の形態としての実施例を図１〜図９、及び図１１により以下に説明する。もちろん、本発明は、その発明の趣旨に反さない範囲で、実施例において説明した以外のものに対しても容易に適用可能なことは説明を要するまでもない。
【実施例１】
【００２５】
図１は本発明における実施例１を示すＤＶＤ装置を内蔵したテレビの概略構成を示すブロック図であり、図２はＤＶＤ装置を内蔵したテレビとリモコン送信機の概観を示す斜視図である。図３は図１１に示す録画タイトルに各種表示される録画モードの解読識別方法の１例であり、図４は録画タイトルに各種表示される録画チャンネルの解読識別方法である。図５は録画タイトルに各種表示される録画開始時刻の解読識別方法であり、図６は録画タイトルに各種表示される録画日の解読識別方法である。図７は予約録画を行なう手順を示すフローチャート図であり、図８は複数の録画タイトルの一覧をメニュー画面として表示した表示例である。図９は一覧表示された中から選択された予約録画の確認用メニュー画面表示例であり、図１１はメーカや機種などが異なる各種の記録再生装置によって記録された録画タイトルの各種表示例である。
【００２６】
まず図２により、本実施例におけるテレビ１とリモコン送信機１７の概観について説明する。このテレビ１には前面に表示部１４が配置され、その下方には操作キー１６が配置されていると共に側面にはＤＶＤディスク５が装填されるとこれを内部に搬送するディスクローディング部７が配置されている。また、リモコン送信機１７にはテレビ１の各動作を指示する操作キー１７ａが配置され、視聴者がこれらの操作キー１６、１７ａを操作して予約録画の設定や録画された録画ファイルの再生を指示することが出来る。
【００２７】
続いて図１により、ＤＶＤ装置を内蔵したテレビ１の概略構成について説明する。このテレビ１ではチューナ１１によってアンテナ１０で受信した放送電波から所定の１つが選択され映像音声信号に変換される。このチューナ１１で変換された映像音声信号は映像音声処理部１２に搭載したＭＰＥＧ（Ｍｏｖｉｎｇ  Ｐｉｃｔｕｒｅ  Ｅｘｐｅｒｔｓ  Ｇｒｏｕｐ）規格に基づく回路を搭載したＭＰＥＧ  ＩＣにより複合化とアナログ変換がされて表示部１４で表示される。また、この映像音声信号をＤＶＤディスク５に記録するときは映像音声処理部１２により符号化とデジタル化がされ、ＤＶＤディスク５から再生するときはアナログ化と複合化がされる。また、この映像音声処理部１２には図示しないクロマ（Ｃｈｒｏｍａ）ＩＣが搭載されており、このクロマＩＣにより後述するＯＳＤ処理された録画タイトルが番組放送の録画ファイル映像とオーバーラップするように合成され、前記表示部１４に表示される。これにより、前述のＤＶＤディスク５に番組放送を記録するときは、この番組放送の録画ファイルに対応する録画タイトルが自動的に作成されて、記録再生部１３により録画ファイルと録画タイトルがＤＶＤディスク５に記録される。また、これを再生するときは、前記記録再生部１３が録画ファイルと録画タイトルを読み出して、前記映像音声処理部１２により表示可能に処理された録画ファイルの映像音声信号と、ＯＳＤ処理された録画タイトルなどの文字データが表示部１４で同時に表示される。また、このテレビ１にはこれら各部を制御するマイコン２０が配置されており、このマイコン２０の初期値やテレビ１のチャンネルや制御用データなど各データを記憶し、録画タイトルなど予約録画プログラムを他の記録媒体に移植する時に、その予約録画プログラムを記憶するＥＥＰＲＯＭ（Ｅｌｅｃｔｒｉｃａｌｌｙ  Ｅｒａｓａｂｌｅ  ＰＲＯＭ）によるメモリ部１５を備えている。また、前記マイコン２０には、リモコン送信機１７或いはテレビ１の本体に配置された操作キー１６からの各キーコード入力の受付処理を行なうと共に、各キーコードを判別して制御部２２に渡すキー処理部２１が配置され、ここで判別された各キーコードに従い前記制御部２２がテレビ１全体の動作やマイコン２０内の各処理部２１、２３〜３１をＣＰＵ（Ｃｅｎｔｒａｌ  Ｐｒｏｃｅｓｓｉｎｇ  Ｕｎｉｔ）により制御する。また、データ取得処理部２４がＥＰＧなどの番組データを取得して予約設定処理部２３に渡す。タイトル処理部２６は録画時にこの番組データや録画にもとづく録画タイトルを作成すると共に、予約録画を設定する時にＤＶＤディスク５から読み取られた録画タイトルのデータを解読処理部２５に渡す制御を行なう。一方、前述の記録再生部１３が読み取った録画タイトルのデータ、或いは前記タイトル処理部２６が作成した録画タイトルのデータの文字列に含まれる録画日、録画開始時刻、録画終了時刻、録画チャンネル、録画モードなどと、ＤＶＤディスク５に記録された管理情報から読み取られた録画時間とが解読処理部２５によって解読され数値に変換される。次に予約設定処理部２３は解読処理部２５が解読して数値に変換した録画タイトルの各データと録画時間のデータを入手して、こ��録画タイトルをもとに予約録画の設定を行なう。また、前記予約設定処理部２３は残量検出部３０に録画時間のデータを渡すと共に、予約設定した予約録画プログラムなどを画面上で確認する場合は、予約録画設定のデータを表示処理部２８に渡し、表示処理部２８が予約録画設定時は予約録画設定画面とし、予約確認時は予約確認画面としてＯＳＤ処理し表示部１４に表示させると共に、ＤＶＤディスク５の録画残容量が不足する時は報知処理部３１の制御によって視聴者に画面表示して報知するＯＳＤ処理とこの制御を行う。また、計時処理部２７はテレビ１の時計カウントを行い設定された予約録画の時間を監視しながら予約録画実行の制御を行なうと共に、マイコン２０内外の各データの算出やカウントなど他の制御や処理に必要なカウント処理を行なう。次に、前記計時処理部２７により予約録画の時間が監視されながら、録画処理部２９は記録再生部１３の動作を制御してテレビ１の通常録画や予約録画など録画処理が行なわれる。また、マイコン２０内に備えられた残量検出部３０は予約設定処理部２３から入手した録画時間データをもとに現在のＤＶＤディスク５の録画残容量を算出すると共に、録画ファイルの先頭に人物画像が録画されているか否かを検出し表示処理部２８、録画処理部２９、報知処理部３１に録画残容量データと人物画像の検出データを渡す。前記録画残容量データを入手した報知処理部３１は録画残容量が不足する際は表示処理部２８を制御してこの録画残容量の不足を表示部１４に表示して報知するようにしている。さらに前記制御部２２の制御によって図２に示す記録再生部１３のディスクローディング部７を制御して録画残容量が不足するＤＶＤディスク５を排出するなどの動作を行う。また、前記報知処理部３１は録画ファイルの先頭に人物画像が検出されると、表示処理部２８に対して予約録画の設定時に表示されるメニュー画面に選択的に表示されるように制御する。
【００２８】
これにより、このテレビ１には予めＤＶＤディスク５に録画された録画ファイルとこれに対応する録画タイトルを記録再生部１３が再生と読み取りを行い、映像音声処理部１２が複合化してデジタル信号をアナログ信号に変換することにより録画ファイルの映像音声信号は表示部１４で画面表示することが可能となる。また、この録画タイトルは解読処理部２５によって録画タイトルデータの文字列に含まれる録画日、録画開始時刻、録画終了時刻、録画チャンネル、録画モードなどとＤＶＤディスク５に記録された管理情報から読み取られた録画時間が解読され数値に変換される。この変換された各数値は予約設定処理部２３にて予約録画設定される。これらの予約録画設定は、予約録画設定時や予約録画設定確認時は表示処理部２８にてＯＳＤ処理がなされ映像音声処理部１２で合成処理されて表示部１４に表示される。この予約録画設定を行なう場合に、選択する録画ファイルを表示する画面の背景として、再生される録画ファイルの先頭の番組映像が静止画で表示されるが、この先頭位置に人物画像が含まれるか否かを表示処理部２８が検出し、人物画像が含まれていればこの人物画像の静止画が選択的にメニュー画面の背景に用いられる。これにより、新規の予約録画の設定時において録画タイトルを選択する際は、録画タイトルのメニュー表示と、録画ファイルの先頭、即ち番組開始時の静止画として放映される司会者や出演者といった番組内容を印象付ける人物画像から容易に録画ファイルの内容を視認することが出来る。これにより、視聴者は表示部１４に表示された録画ファイルの先頭、即ち番組開始時の画像にある静止画、または人物画像の静止画と録画タイトルを確認しながら新規の予約録画を設定することとなる。
【００２９】
続いて図１１により、メーカや機種が異なる各種の記録再生装置によって記録された録画タイトルの各種表示例について説明する。ＤＶＤ装置を内蔵したテレビ（Ａ）１で記録された録画タイトルは「１２／１３／２００４  ０９：２８ＡＭ  ０１３  ＳＰ」と表示され、単独機であるＤＶＤ記録再生装置（Ｂ）で記録された録画タイトルは「１２／１３月  ９：４２ＡＭ  １ｃｈ  ＳＰ」と、同様にＤＶＤ記録再生装置（Ｃ）では「０４／１２／１３（月）  ＡＭ８：３５〜ＡＭ９：３５  ６ＣＨ  ＳＰ」と表示され、ＤＶＤ装置とＨＤＤ（Ｈａｒｄ  Ｄｉｓｃ  Ｄｒｉｖｅ）装置の複合機（Ｄ）では「１２／１３  ９：４２ＡＭ  ＣＨ  ８  ＳＰ」と表示される。このように記録再生装置はメーカや機種が異なることによりＤＶＤディクス５やＨＤＤディスク、及び前記表示例のほかにＶＴＲテープなど各種の記録媒体に記録される録画タイトルの表示方法が異なり、一見してこれらの文字列から判読して識別することが困難な状況にある。
【００３０】
このようにメーカや機種が異なることにより表示方法が各種異なる録画タイトルの文字列の解読識別方法について、図３〜図６により説明する。録画時間に関しては録画終了時に記憶された録画時間を利用し設定する。また、録画開始時刻のみが表示されている録画タイトルに関しては、録画開始時刻と録画時間とで録画終了時刻を算出する。又、他の録画時間算出方法として前記図１１の各録画タイトルの文字列において録画モードの解読識別方法は図３に示すように、例えば４．７ＧＢのＤＶＤ−Ｒ、ＲＷディスクに録画が可能な時間を次のように算出する方法でも良い。「ＸＰ」と「ＦＩＮＥ」の表示は各々１時間の録画が可能であり、「ＳＰ」の表示は２時間、「ＬＰ」は３時間または４時間の録画が可能で、「ＳＬＰ」と「ＥＰ」は６時間の録画が可能であることを意味する。従って、図１１におけるＤＶＤ装置を内蔵したテレビ（Ａ）１で記録された録画タイトルは「１２／１３／２００４  ０９：２８ＡＭ  ０１３  ＳＰ」と表示され、録画タイトルのＤＶＤディスク５は２時間の録画が可能であることを表している。
【００３１】
次に図４により、録画チャンネルの解読識別方法について説明する。その1つ目は「ＣＨ」や「ｃｈ」と隣接している数字は録画チャンネルを示している。その２つ目はスペースで挟まれた３桁以内の数字が録画チャンネルを示している。図１１による録画タイトルの表示において、ＤＶＤ装置を内蔵したテレビ（Ａ）１で記録された録画タイトルは「１２／１３／２００４  ０９：２８ＡＭ  ０１３  ＳＰ」と表示され、録画タイトルのうち「０１３」は前後にスペースが設けられているので１つ目の識別法に該当し１３チャンネルであることを表している。また、単独機であるＤＶＤ記録再生装置（Ｂ）で記録された録画タイトルは「１２／１３月  ９：４２ＡＭ  １ｃｈ  ＳＰ」と表示されており１チャンネルであることを表している、同様にＤＶＤ記録再生装置（Ｃ）では「０４／１２／１３（月）  ＡＭ８：３５〜ＡＭ９：３５  ６ＣＨ  ＳＰ」と表示されており６チャンネルであり、ＤＶＤ装置とＨＤＤ装置の複合機（Ｄ）では「１２／１３  ９：４２ＡＭ  ＣＨ  ８  ＳＰ」と表示されており８チャンネルであることを表している。
【００３２】
続いて図５により、録画開始時刻の解読識別方法について説明する。その1つ目は「：」の前後の数字は「時：分」を意味している。その２つ目は録画タイトルの文字列の中に「ＡＭ」或いは「ＰＭ」が含まれる場合はそれぞれ午前と午後を意味している。ＤＶＤ装置を内蔵したテレビ（Ａ）１で記録された録画タイトルは「１２／１３／２００４  ０９：２８ＡＭ  ０１３  ＳＰ」と表示されており「０９：２８」が録画開始時刻でその次に表示された「ＡＭ」が午前を表している。即ちこのＤＶＤ装置を内蔵したテレビ（Ａ）１で録画された録画ファイルは午前９時２８分から録画が開始されたことを表している。同様にＤＶＤ記録再生装置（Ｃ）では「０４／１２／１３（月）  ＡＭ８：３５〜ＡＭ９：３５  ６ＣＨ  ＳＰ」と表示されており午前８時３５分から録画が開始されたことを表している。続いて表示されている「〜ＡＭ９：３５」は午前９時３５分で録画が終了したことを表している。
【００３３】
続いて図６により、録画日の解読識別方法について説明する。その1つ目は録画タイトルの中に「／」が１つの場合、「／」の前後の数字は「月／日」を意味している。この「月／日」の数字が今日現在の日付数字と同じ若しくは今日現在の数字より小さい場合は「現在の年」を録画日の「年」とし、「月／日」の数字が今日現在の日付数字より大きい場合は「現在の年−１」を録画日の「年」とする。例えばＤＶＤ装置とＨＤＤ装置の複合機（Ｄ）では「１２／１３  ９：４２ＡＭ  ＣＨ  ８  ＳＰ」と表示されているだけで１２月１３日に録画されたことを表しているが録画された年は表示されていない。ここで若し、今日現在が２００４年１２月２０日だと仮定すると１２月１３日は１２月２０日より小さく、現在の年である２００４年１２月１３日に録画したことを表しており、今日現在が２００５年１月２０日だと仮定すると録画日の１２月１３日は現在の１月２０日より大きく、現在の年である２００５年から１年を減じた２００４年に録画されたことを表している。
【００３４】
また２つ目として、録画タイトルの中に「／」が２つの場合で、４桁の数字が含まれる場合は「年／月／日」または「月／日／年」であり４桁の数字は年を意味する。また４桁の数字が含まれない場合はそのまま「年／月／日」を意味する。例えばＤＶＤ装置を内蔵したテレビ（Ａ）１で記録された録画タイトルは「１２／１３／２００４  ０９：２８ＡＭ  ０１３  ＳＰ」と表示されており、「１２／１３／２００４」と表示された数字は２００４年１２月１３日に録画されたことを表している。またＤＶＤ記録再生装置（Ｃ）では「０４／１２／１３（月）  ＡＭ８：３５〜ＡＭ９：３５  ６ＣＨ  ＳＰ」と表示されており、２００４年１２月１３日の月曜日に録画されたことを表している。
【００３５】
次に３つ目として、録画タイトルの中に「／」が含まれない場合は、「年」の直前の数字は「年」を意味し、「月」の直前の数字は「月」を意味し、「日」の直前の数字は「日」を意味する。例えば「２００４年１２月１３日」と表示されていればそのまま２００４年１２月１３日に録画されたことを表している。
【００３６】
続いて図７のフローチャート図と、図８の録画タイトルの一覧表表示例、及び図９の予約確認の為の予約確認用メニュー画面の表示例により、予約録画を行なう手順について説明する。図２で示したテレビ１には図示しない他のＤＶＤ記録再生装置で複数の番組放送が録画されたＤＶＤディスク５が視聴者により装填されるところである。１２月３日（金）のお昼時、視聴者がこのＤＶＤディスク５に録画された複数の録画ファイルの中から連続放送される料理番組を予約録画しようと、図７に示すＦ−１により図２で示したリモコン送信機１７の操作キー１７ａを押下して録画されている録画ファイルの一覧表を表示させるべく指示を行うと、図８に示すようにテレビ１の表示部１４には他のＤＶＤ記録再生装置で録画された複数の録画ファイルを示す複数の録画ファイルの一覧表として表示される。この一覧表示には録画順に「ＮＥＷＳ」、「ＳＰＯＲＴ」、「ＮＥＷＳ」、「ＣＯＯＫ」の各番組の録画ファイルの先頭にある静止画像がサムネイル（Ｔｈｕｍｂｎａｉｌ）などにより表示され、また個々の静止画像の下方には「０４／１１／２３  ７：００  ＡＭ  ８」、「０４／１１／２６  ６：００  ＰＭ  ９」、「０４／１１／３０  １０：００  ＡＭ  １」、「０４／１２／２  ８：００  ＰＭ  ８」と録画タイトルの文字列が表示される。
【００３７】
続いて、Ｆ−２により図８に示すサムネイルの静止画像とその録画タイトルの中から予約録画の設定をしたい録画タイトルの1つを選択するためにリモコン送信機１７の操作キー１７ａや操作キー１６の図示しない予約キーを押下すると、図９に示すように視聴者によって選択された録画タイトルの詳細が表示される。具体的には視聴者が図８に示す一覧表表示の中から「ＣＯＯＫ、０４／１２／２  ８：００  ＰＭ  ８」を選択して前記予約キーを押下し予約録画を指示すると、Ｆ−３により解読処理部２５が他のＤＶＤ記録再生装置で記録されたこの「ＣＯＯＫ、０４／１２／２  ８：００  ＰＭ  ８」の録画ファイルに対応する録画タイトルの文字列より「録画日」、「録画開始時刻」、「録画終了時刻」、「録画チャンネル」、「録画モード」を解読し、「録画時間」はこのＤＶＤディスク５に記録された管理情報から取得して表示部１４には図９に示す予約確認画面がＦ−４により表示される。この予約確認画面には、「予約開始時刻」は午後８時００分、「予約終了時刻」は録画時間より算出し、例えば、午後９時００分、「録画チャンネル」は８チャンネル、「録画モード」はＳＰ、「予約設定」は毎週と表示され、この予約確認画面の表示に誤りがなければ「ＯＫ  Ｃａｎｃｅｌ」の中から「ＯＫ」を選択することで予約録画が設定される。このときに、視聴者が録画タイトルの選択を誤って「ＮＥＷＳ」番組が表示されれば、図８に示す再度「ＣＯＯＫ」の選択を行う。また、もしも「録画チャンネル」が９チャンネルと表示されるなど画面表示に誤りや、別な予約録画設定に変更したい場合は、視聴者はリモコン送信機１７の操作キー１７ａを操作するなどにより、８チャンネルに修正するなどの編集をすることが出来る。尚、前述のように「録画時間」に関する今回の説明では、「録画時間」はＤＶＤディスク５に記録された管理情報を利用したが、録画タイトルに記録された録画開始時刻と終了時刻を利用する、或いは録画タイトルに記録された録画時間を利用しても良い。
【００３８】
また、この料理番組は１２月２日（木）の午後８時から初回録画されたものであるが、１２月３日（金）のお昼時、視聴者が次回からの予約録画を設定するときに、データ取得処理部２４がＥＰＧなどから１２月２日（木）の午後８時から録画されたこの録画ファイルは、１４回にわたって放送される番組の２／１４回目であることと、毎週木曜日の午後８時から放送されるとの情報を入手したことにより、図９においては「予約設定」欄に「毎週」録画と表示されている。この時点でもしもＥＰＧなどからの情報が取得されていなければ新聞や雑誌に掲載される番組表などから「毎週」放送されるとの番組情報を得ることにより「予約設定」欄にはポップアップメニュー（Ｐｏｐｕｐ  Ｍｅｎｕ）で「毎日・毎週」や録画日時を視聴者が選択することを可能に表示されるのでリモコン送信機１７を操作して何れかを選択することとなる。この料理番組の場合は毎週放送される連続番組であることから、視聴者はこの連続番組が「毎日」または「毎週」と表示される中から「毎週」を選択して毎週録画することを予約設定する。これを受けて表示されるこの予約確認画面から視聴者は「予約開始時刻は、午後８時００分」、「予約終了時刻は、午後９時００分」、「録画チャンネルは、８チャンネル」、「録画モードは、ＳＰ」、「予約録画は、毎週」と確認し、予約したい録画ファイルの録画タイトルが正しければ「ＯＫ」を選択する。これにより、この料理番組は前記解読処理部２５で解読され数値に変換された録画タイトルにより予約録画が設定され、図１に示す計時処理部２７により予約録画の時間が監視されながら次回の番組放送が予定されている１２月９日（木）の午後８時からとその次の週の１２月１６日（木）、更にそれ以降の予約録画が自動的に実行される。
【００３９】
続いて、録画逃しをした時の再放送番組を自動的に予約録画する方法について説明する。図７の手順によって次回からの予約録画の設定を行なった料理番組の録画タイトル「ＣＯＯＫ、０４／１２／２  ８：００  ＰＭ  ８」は前述のように１４回の放送が予定された番組で、初回の番組放送ではなく２／１４回目の放送であり、１２月２日（木）に録画されたこの番組の前週の１１月２５日（木）が初回の番組放送で、この初回の番組放送を視聴者が録画していなかったこととなる。視聴者は１２月３日（金）のお昼に図７に示す手順により次回からの料理番組の予約録画を設定しており、この料理番組は１１月２５日（木）を初回として１４回目まで放送される番組であることを図１に示すデータ取得処理部２４がＥＰＧなどにより番組データとして取得し、予約設定処理部２３が１４回放送される連続番組であると判断し、１１月２５日（木）の「１／１４回目」が未録画と判断されると、前記ＥＰＧデータを利用して「１／１４回目の再放送番組」を検出して予約録画の設定を行ない、この再放送番組を自動的に録画する。この料理番組の再放送は、何れも番組が放送された次週の土曜日の午前1１時００分から放送されるとのＥＰＧなどによる番組データから、「１／１４回目」の再放送番組は１２月４日（土）の午前１１時００分から自動的に予約録画を設定して自動的に録画される。また、この再放送を録画した料理番組の録画ファイルは本来、１１月２５日（木）を初回とし、１２月２日（木）、１２月９日（木）、１２月１６日（木）などで放送され、これらの再放送は１２月４日（土）、１２月１１日（土）、１２月１８日（土）などで放送される。従って、この料理番組を録画するＤＶＤディスク５には録画順に１２月２日（２回目）、１２月４日（１回目再放送）、１２月９日（３回目）、１２月１６日（４回目）の順で録画される。このように録画された録画ファイルは制御部２２によって１回目再放送、２回目、３回目、４回目の順に整理されて視聴者がこれら連続番組の録画ファイルを再生して視聴する時はこの本来の番組放送順に再生されてテレビ1の表示部１４に表示される。
【００４０】
次に、このテレビ１において装填されたＤＶＤディスク５の録画残容量が不足する時の動作について説明する。前述の料理番組の予約録画を設定したが、このテレビ１に装填されたＤＶＤディスク５の録画残容量が不足しており、放送時間が１時間の料理番組を録画しようと予約録画を設定したがこのＤＶＤディスク５が３０分間の録画しか出来ない状態にあるときは、次のようにして視聴者に報知するように構成しており、このＤＶＤディスク５の録画残容量の検出と報知について図１により説明する。前述のように、このＤＶＤディスク５には２回目に放送された料理番組が録画されており、この料理番組の録画ファイルとこれに対応する録画タイトルを記録再生部１３が再生と読み取りを行うが、このときに前記ＤＶＤディスク５に記録された管理情報から録画時間データが読み取られ、読み取られた録画タイトルと録画時間は解読処理部２５で解読されて数値に変換される。この録画時間データと、予約録画が設定された録画タイトルの録画モードなどから残量検出部３０がＤＶＤディスク５の録画残容量を算出し、不足であれば報知処理部３１が表示処理部２８を制御して表示部１４にＤＶＤディスク５の交換を促す旨の文字表示を行なう。また、このテレビ１では、報知処理部３１から出される報知指示情報により制御部２２が記録再生部１３の図２に示すディスクローディング部７を動作させて録画残容量が不足となったＤＶＤディスク５を排出し、視聴者に他のＤＶＤディスク５に交換するように促す動作も行うようにしている。このようにしてＤＶＤディスク５を交換し連続番組の録画を行なうときは、これまで録画しＤＶＤディスク５に記録されていた予約録画の録画タイトルなどの予約録画プログラムのコピーが一旦メモリ部１５に記憶され、交換して挿入された新しいＤＶＤディスク５に予約録画プログラムのコピーが移植され、これに基づいて新規に装填したＤＶＤディスク５に録画ファイルが録画される。従って、この後に後続する料理番組の予約録画は移植された録画タイトルなどの予約録画プログラムに基づき自動的に録画される。
【００４１】
以上のように本実施例１によれば、本発明における記録再生装置であるＤＶＤ装置を内蔵するテレビ１は、番組の録画ファイルが記録された記録媒体であるＤＶＤディスク５の録画タイトルを利用して、毎日または毎週連続放送される番組放送の、次回からの予約録画をすることが可能となり、メーカや機種が異なるなど他の記録再生装置である単独機のＤＶＤ記録再生装置や、ＤＶＤ装置とＨＤＤ装置の複合機、ＤＶＤ装置とＶＴＲ装置の複合機２、及びＤＶＤ装置を内蔵したテレビ１などで録画され、ＤＶＤディスク５に記録された録画タイトルを、解読処理部２５によって解読することが出来るので、他の記録再生装置などで録画されていたＤＶＤディスク５などの記録媒体に次回からの予約録画の設定を行なうことが出来る。これにより、視聴者にとっては特定の記録再生装置に限定されず、使い勝手を向上させることが出来る。また、既にＤＶＤディスク５などの記録媒体に録画した録画ファイルの録画タイトルを利用して次回からの予約録画を設定することが出来るので、全く新規に予約録画を設定するときに必要な録画チャンネルや録画開始日時などの詳細入力にかかる操作キー１６やリモコン送信機１７を操作するなどの煩わしい操作手順を省略することが出来るので、高齢者や年少者などの視聴者が利用する機会が多い一般家庭において誰でも簡単に予約録画の設定を行なうことが出来る。また、予約録画の設定においても、そのＤＶＤディスク５など記録媒体に記録されている録画ファイルの映像と録画タイトルがメニュー画面として表示されるので、そのＤＶＤディスク５などの記録媒体に多数の録画ファイルが記録されているような場合でも予約録画の操作時に誤った録画タイトルを選択してしまうといった選択ミスや、録画チャンネルや録画開始時刻の設定を誤ってしまうといった設定ミスを少なくすることが出来る。さらに、録画終了時に自動的に作成されてＤＶＤディスク５など記録媒体に記録される録画タイトルを利用して次回からの予約録画の設定を行なうことが出来るので、予約録画設定の履歴を残して、その予約録画設定の履歴から新規の予約録画設定を行なう場合、メモリ部１５のメモリ容量が不足する恐れもなく、メモリ容量の追加やメモリ内の別領域を確保する必要もなく、マイコン２０制御における負担を減らすことが出来る。
【００４２】
また、ＥＰＧなどの番組データを利用することにより、次回からの予約録画を設定した番組放送のうち録逃がしをしてしまった際も、再放送される番組放送を自動録画することが可能となり、視聴者の使い勝手を向上させることが出来る。
【００４３】
さらに、予約録画を行なうに際しては、録画を予定して装填されていたＤＶＤディスク５など記録媒体の録画残容量が不足してしまったときは、録画残容量の不足をテレビ１の表示部１４や他のモニタなどの表示装置に表示して報知し、更にディスクローディング部７を作動させてＤＶＤディスク５を排出し、録画残容量を満たす他のＤＶＤディス５など記録媒体の交換を視聴者に促すと共に交換されたＤＶＤディスク５にも録画タイトルなど予約録画プログラムを移植することが出来るので、交換したＤＶＤディスク５に予約録画の設定を行なうための煩わしい作業を省略することが出来る。
【００４４】
また、予約録画の設定時において録画タイトルを選択する際は、録画タイトルのメニュー表示と、番組放送の開始時に放映される司会者や出演者といった番組内容を印象付ける人物画像から容易に録画ファイルの内容を視認することが出来るので、録画タイトルの選択や設定ミスを減らすことが出来る。
【００４５】
今回の実施例１における記録再生装置は、チューナ１１を備え予約録画と再生を行なうことが可能な記録再生装置の一実施例として、表示部１４を備えた記録再生装置であるＤＶＤ装置を内蔵するテレビ１について説明したが、これによれば別体のモニタなどの表示装置と外部接続する必要はなくなると共に、この表示部１４に表示される録画ファイルと録画タイトルのメニュー画面によって容易に予約録画の設定を行なうことが出来る。
【実施例２】
【００４６】
次に、本発明における実施例２について図１０により説明する。図１０はＤＶＤ装置とＶＴＲ装置の複合機の概観を示す斜視説明図である。この複合機２にはＤＶＤ装置３の前面に配置されたディスクローディング部７とＶＴＲ装置４の前面に配置されたカセットローディング部８によりＤＶＤディスク５とＶＴＲテープ６が挿脱可能である。また、これらの下方には操作キー１６が配置されているがリモコン送信機１７も備えており、これらを操作して記録再生などの指示を行うことが出来る。更にこの複合機２には前述の実施例１におけるテレビ１と同様な予約録画機能を備えているがモニタなどの表示部１４を備えていない。従って、この複合機２は図示しないモニタなど他の表示装置と接続されている。
【００４７】
この複合機２における録画残容量の不足時の動作について説明する。この複合機２において、図７の手順により前述のように料理番組の予約録画を設定したが、この複合機２に装填されたＤＶＤディスク５の録画残容量が不足しており、放送時間が１時間の料理番組を録画しようと予約録画を設定したものの、このＤＶＤディスク５には３０分間の録画しか出来ない状態にあるときはＤＶＤディスク５からＶＴＲテープ６に記録媒体を変更して予約録画を実行するように構成している。まず、このＤＶＤディスク５の録画残容量の検出と報知について図１を参照しながら説明する。このＤＶＤ装置３とＶＴＲ装置４の複合機２には予め２回目に放送された料理番組の録画ファイルがＤＶＤディスク５に録画されておりこれに対応する録画タイトルを図１に示す記録再生部１３が読み取りを行うが、このときに前記ＤＶＤディスク５に記録された管理情報から録画時間データが読み取られ解読処理部２５で解読されて数値に変換される。この録画時間データと、予約録画が設定された録画タイトルの録画モードなどから残量検出部３０がＤＶＤディスク５の録画残容量を算出し、不足であれば報知制御部３１が表示処理部２８を制御して表示部１４に相当するモニタなど外部接続された表示装置にＤＶＤディスク５の交換を促す旨の文字表示を行なうと共に、録画残容量が不足するＤＶＤディスク５は排出される。これにより視聴者がＤＶＤディスク５を交換すれば、交換されたＤＶＤディスク５に予約録画の録画タイトルなどの予約録画プログラムが移植されると共に、ここに録画されることとなるが、視聴者がＤＶＤディスク５を交換しなかったときは、この複合機２では、報知処理部３１から出される報知指示情報により制御部２２がＤＶＤ装置３による予約録画の実行を中止させ、代わってＶＴＲ装置４に切換えてＶＴＲテープ６に予約録画が実行されるように制御する。このようにＤＶＤ装置３からＶＴＲ装置４に予約録画実行の切換えを行なった際は、図示しないモニタなどの表示装置によってＶＴＲ装置４に予約録画の実行が切換わったことを表示することも出来る。これにより視聴者はＤＶＤディスク５の録画残容量が不足してしまったこととＶＴＲテープ６に切換えて録画が開始されたことを認識することが出来る。また、このようにしてＤＶＤディスク５からＶＴＲテープ６に切換えて連続番組の録画を行なうときは、これまで録画しＤＶＤディスク５に記録されていた予約録画の録画タイトルなどの予約録画プログラムが一旦メモリ部１５にコピーされて記憶され、切換えられたＶＴＲテープ６にこの予約録画プログラムが移植される。これにより、後続する料理番組の予約録画は移植された録画タイトルなどの予約録画プログラムにもとづいてＶＴＲテープ６に自動的に録画される。
【００４８】
以上のように本実施例２は複数の記録再生部１３を有する記録再生装置で、ＤＶＤ装置３とＶＴＲ装置４の複合機２であり、この複合機２にはＤＶＤ用の記録再生部１３とＶＴＲ用の記録再生部１３を有しており、一方の記録媒体であるＤＶＤディスク５録画残容量が不足することにより切換えられた他方の記録媒体であるＶＴＲテープ６には、その録画タイトルと次回以降に予約録画設定されたデータが移植されているので、この切換えられた他方の記録媒体のＶＴＲテープ６をこの複合機２に装填しておけば、予約録画が設定された番組放送をＶＴＲテープ６に自動録画することが出来る。
【００４９】
以上、本実施例を詳述したが、本発明の要旨の範囲内で種々の変形実施が可能である。例えば、記録再生装置はＤＶＤ装置を内蔵したテレビ１やＤＶＤ装置３とＶＴＲ装置４の複合機２に限定されず、図示しないＤＶＤ記録再生装置やＨＤＤ記録再生装置といった単独機、及びＤＶＤ装置３とＨＤＤ装置の複合機などチューナ１１を備え予約録画と再生を行なうことが可能な装置であればよく、また、これら記録再生装置の構成におけるマイコン２０内の各処理部２１〜３１の機能も本実施例に限定されず、設計のし易さや使い易さを考慮して他の処理部２１〜３１が機能を分担、或いは統合して行なうことが可能な状態であれば変更するなど、適宜選定すればよい。
【図面の簡単な説明】
【００５０】
【図１】本発明の実施例１を示すＤＶＤ装置を内蔵したテレビの概略構成を示すブロック説明図である。
【図２】本発明におけるＤＶＤ装置を内蔵したテレビとリモコン送信機の概観を示す斜視説明図である。
【図３】本発明による録画タイトルに各種表示される録画モードの解読識別方法の１例を示す説明図である。
【図４】本発明による録画タイトルに各種表示される録画チャンネルの解読識別方法を示す説明図である。
【図５】本発明における録画タイトルに各種表示される録画開始時刻の解読識別方法を示す説明図である。
【図６】本発明における録画タイトルに各種表示される録画日の解読識別方法を示す説明図である。
【図７】本発明における予約録画の設定を行なう手順を示すフローチャート説明図である。
【図８】本発明における複数の録画タイトルの一覧をメニュー画面として表示した表示例を示す説明図である。
【図９】本発明における一覧表示された中から選択された予約録画の確認用メニュー画面表示例を示す説明図である。
【図１０】本発明の実施例２を示すＤＶＤ装置とＶＴＲ装置の複合機の概観を示す斜視説明図である。
【図１１】メーカや機種などが異なる各種の記録再生装置によって記録された録画タイトルの各種表示例を示す説明図である。
【符号の説明】
【００５１】
１          テレビ
５          ＤＶＤディスク
１３        記録再生部
１４        表示部
２０        マイコン
２３        予約設定処理部
２５        解読処理部
３０        残量検出部
３１        報知処理部
【図１】
2006211592.tif 000003
【図２】
2006211592.tif 000004
【図３】
2006211592.tif 000005
【図４】
2006211592.tif 000006
【図５】
2006211592.tif 000007
【図６】
2006211592.tif 000008
【図７】
2006211592.tif 000009
【図８】
2006211592.tif 000010
【図９】
2006211592.tif 000011
【図１０】
2006211592.tif 000012
【図１１】
2006211592.tif 000013